(57)【要約】【課題】内容液及び吸上げ部の変質を生じ難いスポイト容器を提供する。【解決手段】口部５を備える容器本体２と、スポイト３を備えるとともに口部５を開閉可能なキャップ４とを有するスポイト容器１であって、スポイト３は、管状のノズル部３ａと、外部からの操作に応じて弾性変形及び復元変形することで容器本体２内の内容液をノズル部３ａ内に吸上げる吸上げ部３ｂと、吸上げ部３ｂの内面への内容液の接触を防止するように内面に沿って設けられた隔離部３ｃとを有することを特徴とするスポイト容器１。【選択図】図１
2020183251.tif 000002
【特許請求の範囲】
【請求項１】
口部を備える容器本体と、スポイトを備えるとともに前記口部を開閉可能なキャップとを有するスポイト容器であって、
前記スポイトは、管状のノズル部と、外部からの操作に応じて弾性変形及び復元変形することで前記容器本体内の内容液を前記ノズル部内に吸上げる吸上げ部と、該吸上げ部の内面への前記内容液の接触を防止するように前記内面に沿って設けられた隔離部とを有することを特徴とするスポイト容器。
【請求項２】
前記隔離部と前記吸上げ部とが互いに固着している、請求項１に記載のスポイト容器。
【請求項３】
前記キャップが、前記口部に着脱可能な装着筒部を備えるとともに該装着筒部の上端に径方向内側に延在する前記環状頂部が一体に設けられた装着部材と、前記吸上げ部を備えるとともに該吸上げ部に前記環状頂部の下方に配置される上部フランジが一体に設けられた吸上げ部材と、前記隔離部を備えるとともに該隔離部に前記吸上げ部材の前記上部フランジの下面に沿って配置される中間フランジが一体に設けられた隔離部材と、前記ノズル部を備えるとともに該ノズル部に前記隔離部材の前記中間フランジの下方に配置される下部フランジが一体に設けられたノズル部材と、を有し、
前記ノズル部材の前記下部フランジの上面に、前記隔離部材の前記中間フランジの下面に全周に亘って圧接される環状凸部が一体に設けられている、請求項１または２に記載のスポイト容器。
【発明の詳細な説明】
【技術分野】
【０００１】
本発明は、口部を備える容器本体と、スポイトを備えるとともに口部を開閉可能なキャップとを有するスポイト容器に関する。
【背景技術】
【０００２】
美容液等の化粧品や薬品等の内容液を吸上げ、所望の箇所に滴下することができるスポイト容器として、スポイトを備えるキャップを有し、スポイトが、管状のノズル部と吸上げ部とを有するものが知られている（例えば特許文献１参照）。このようなスポイト容器によれば、吸上げ部を直接的或いは適宜設けた操作部材を介して間接的に操作することで、吸上げ部を弾性変形及び復元変形させ、それにより内容液をノズル部内に吸上げ、再度の操作によりノズル部内から内容液を滴下することができる。
【先行技術文献】
【特許文献】
【０００３】
【特許文献１】実開平３−７６５０４号公報
【発明の概要】
【発明が解決しようとする課題】
【０００４】
上記のようなスポイト容器では、内容液の吸上げ時や容器の転倒などによって内容液が吸上げ部の内面に接触することがある。しかし、吸上げ部は通常、ゴムやエラストマーなどの弾性変形可能な軟材質で形成されているため、吸上げ部と内容液との接触により、吸上げ部に膨潤などの変質を生じてしまったり、内容液に効能や香りの変化などの変質を生じてしまったりする虞があった。
【０００５】
本発明は、このような問題点を解決することを課題とするものであり、その目的は、内容液及び吸上げ部の変質を生じ難いスポイト容器を提供することにある。
【課題を解決するための手段】
【０００６】
本発明のスポイト容器は、口部を備える容器本体と、スポイトを備えるとともに前記口部を開閉可能なキャップとを有するスポイト容器であって、前記スポイトは、管状のノズル部と、外部からの操作に応じて弾性変形及び復元変形することで前記容器本体内の内容液を前記ノズル部内に吸上げる吸上げ部と、該吸上げ部の内面への前記内容液の接触を防止するように前記内面に沿って設けられた隔離部とを有することを特徴とする。
【０００７】
本発明のスポイト容器は、上記構成において、前記隔離部と前記吸上げ部とが互いに固着しているのが好ましい。
【０００８】
本発明のスポイト容器は、上記構成において、前記キャップが、前記口部に着脱可能な装着筒部を備えるとともに該装着筒部の上端に径方向内側に延在する前記環状頂部が一体に設けられた装着部材と、前記吸上げ部を備えるとともに該吸上げ部に前記環状頂部の下方に配置される上部フランジが一体に設けられた吸上げ部材と、前記隔離部を備えるとともに該隔離部に前記吸上げ部材の前記上部フランジの下面に沿って配置される中間フランジが一体に設けられた隔離部材と、前記ノズル部を備えるとともに該ノズル部に前記隔離部材の前記中間フランジの下方に配置される下部フランジが一体に設けられたノズル部材と、を有し、前記ノズル部材の前記下部フランジの上面に、前記隔離部材の前記中間フランジの下面に全周に亘って圧接される環状凸部が一体に設けられているのが好ましい。
【発明の効果】
【０００９】
本発明によれば、内容液及び吸上げ部の変質を生じ難いスポイト容器を提供することができる。
【図面の簡単な説明】
【００１０】
【図１】本発明の一実施の形態に係るスポイト容器を示す部分断面側面図である。
【図２】図１に示すスポイト容器の要部を示す部分断面側面図である。
【図３】図１に示すスポイト容器における、インサート成形により一体に形成された吸上げ部材及び隔離部材を示す部分断面側面図である。
【図４】図１に示すスポイト容器における、インサート成形前の隔離部材を示す部分断面側面図である。
【発明を実施するための形態】
【００１１】
以下、図面を参照しつつ本発明をより具体的に例示説明する。
【００１２】
図１に示すように、本実施形態に係るスポイト容器１は、容器本体２と、スポイト３を備えるキャップ４とで構成されている。容器本体２内には、美容液等の化粧品が内容液として収容されている。なお、内容液は化粧品に限らず、薬品やその他の液体であってよいが、本実施形態に係るスポイト容器１は、特に油分を多く含んでいる化粧品等の、樹脂に浸透し易いものを内容物とする場合に好適である。
【００１３】
容器本体２は、軸心Ｏを有する円筒状の口部５と、口部５の下端に一体に連なる胴部６とを有している。胴部６は、口部５から拡径する肩部分６ａと、肩部分６ａの外周縁から垂下する略円筒状の胴本体部分６ｂと、胴本体部分６ｂの下端を閉塞する底部分６ｃとで構成されている。容器本体２は、例えば、合成樹脂、ガラス、金属又はこれらの任意の組合せによって形成することができる。容器本体２はボトル形状をなしているが、これに限らず種々の形状を採用可能である。口部５の外周面には、キャップ４を着脱可能な雄ねじ部５ａが一体に設けられている。なお、口部５は、キャップ４をねじ係合によって着脱可能な構成とされているが、これに限らず、アンダーカット係合によって着脱可能な構成としてもよい。
【００１４】
本明細書及び特許請求の範囲において、上下方向とは、キャップ４を口部５に装着した状態でスポイト容器１を正立させたときの上下方向を意味するものとし、径方向とは、軸心Ｏと直交する方向を意味するものとし、周方向とは、軸心Ｏの周りを周回する方向を意味するものとする。
【００１５】
キャップ４は、装着部材７及びスポイト３で構成されており、スポイト３は、吸上げ部材８、隔離部材９及びノズル部材１０で構成されている。詳細は後述するが、ノズル部材１０はノズル部３ａを有し、吸上げ部材８は吸上げ部３ｂを有し、隔離部材９は隔離部３ｃを有している。したがって、スポイト３は、ノズル部３ａ、吸上げ部３ｂ及び隔離部３ｃを有している。
【００１６】
図２に示すように、装着部材７は、口部５に着脱可能な円筒状の装着筒部１１を有している。装着筒部１１の内周面には、雄ねじ部５ａと螺合可能な雌ねじ部１１ａが一体に設けられている。装着筒部１１の上端には、径方向内側に延在する環状頂部１２が一体に設けられている。
【００１７】
吸上げ部材８は、外部からの操作に応じて弾性変形及び復元変形可能な有頂円筒状の吸上げ部３ｂを有している。吸上げ部３ｂは、上方に突出するドーム形状の頂壁の外周縁に円筒状の周壁が一体に垂設された構成とされている。この周壁の下端、つまり吸上げ部３ｂの下端には、径方向外側に延在する円環状の上部フランジ８ａが一体に設けられている。また、吸上げ部３ｂの周壁の外周面における下部には、全周に亘って径方向外側に突出する外周凸部８ｂが一体に設けられている。環状頂部１２の内周縁には、全周に亘って径方向内側に突出する内周凸部１２ａが一体に設けられており、この内周凸部１２ａが外周凸部８ｂと上部フランジ８ａとの間に嵌め込まれることにより、上部フランジ８ａが環状頂部１２の下方に配置された状態で吸上げ部材８が装着部材７に保持されている。
【００１８】
隔離部材９は、吸上げ部３ｂの内面への内容液の接触を防止するようにこの内面に沿って設けられた有頂円筒状の隔離部３ｃを有している。隔離部３ｃは、上方に突出するドーム形状の頂壁の外周縁に円筒状の周壁が一体に垂設された構成とされている。この周壁の下端、つまり隔離部３ｃの下端には、径方向外側に延在する円環状の中間フランジ９ａが一体に設けられている。吸上げ部材８の上部フランジ８ａの下面には、この上部フランジ８ａより外径が小さく設定されている隔離部材９の中間フランジ９ａと相補的な形状を有する円環状の段部が形成されており、この段部内に中間フランジ９ａが配置されている。このように、中間フランジ９ａは、上部フランジ８ａの下面に沿って配置されている。
【００１９】
隔離部材９は、ポリプロピレン樹脂製のフィルムであり、例えばシート成形などによって有頂円筒状に形成することができる。そして、このように形成された図４に示す隔離部材９を金型にセットした状態でゴムまたはエラストマーなどの軟材質を射出するインサート成形により、図３に示すように互いに固着し、一体に形成された隔離部材９及び吸上げ部材８を得ることができる。隔離部材９は、ポリプロピレン樹脂製に限らず、内容液の成分等に応じて適宜採用される合成樹脂で構成することができるが、耐内容物性に優れるとともにゴムまたはエラストマーとの接着性に優れるポリプロピレン樹脂で構成することが好ましい。また、隔離部材９は、耐内容物性に優れるポリエチレンテレフタレート樹脂製としてもよい。
【００２０】
図１〜図２に示すように、ノズル部材１０は、下部が下方に向けて縮径する円管状のノズル部３ａを有している。ノズル部３ａの上部には、径方向外側に延在する円環状の下部フランジ１０ａが一体に設けられている。下部フランジ１０ａは、隔離部材９の中間フランジ９ａの下方に配置された状態で、装着部材７の装着筒部１１の内周面にアンダーカット係合により保持されている。また、ノズル部３ａの上端における外周面は、隔離部３ｃの下部における内周面に全周に亘って密接している。
【００２１】
ノズル部材１０の下部フランジ１０ａの上面には、全周に亘って上方に突出する円環状の環状凸部１０ｂが一体に設けられている。環状凸部１０ｂは、隔離部材９の中間フランジ９ａの下面に全周に亘って圧接されることにより、隔離部材９の中間フランジ９ａと吸上げ部材８の上部フランジ８ａとの密着性を高めることができる。したがって、吸上げ部材８の上部フランジ８ａと隔離部材９の中間フランジ９ａとが剥離してしまうことを抑制し、また吸上げ部材８と隔離部材９との剥離が発生した場合には、剥離部への空気等の侵入を抑制することができるので、操作時の吸上げ部３ｂの変形に対する隔離部３ｃの変形の追従性を高め、安定した動作を確保することができる。
【００２２】
ノズル部材１０の下部フランジ１０ａの下方には、円環板状のパッキン１３が配置されている。パッキン１３は、パッキン１３の上面が下部フランジ１０ａの下面に接触した状態で、ノズル部３ａの外周面にアンダーカット係合により保持されている。
【００２３】
なお、装着部材７及びノズル部材１０は、それぞれ合成樹脂製であるが、これに限らない。
【００２４】
本実施形態に係るスポイト容器１によれば、キャップ４で容器本体２の口部５を閉じた状態で吸上げ部３ｂを指で押圧して吸上げ部３ｂを弾性変形及び復元変形させることで容器本体２内の内容液をノズル部３ａ内に吸上げることができる。そして、キャップ４を口部５から取外し、所望の箇所で吸上げ部３ｂを再度押圧することで、ノズル部３ａ内から内容液を滴下することができる。
【００２５】
ここで、本実施形態に係るスポイト容器１は、耐内容物性を有する隔離部３ｃを吸上げ部３ｂの内面に沿って設けた構成を有しているため、ゴムまたはエラストマーで形成された吸上げ部３ｂと内容液との接触を防止することができる。したがって、吸上げ部３ｂに膨潤などの変質を生じてしまったり、内容液に効能や香りの変化などの変質を生じてしまったりすることを防止することができる。
【００２６】
本発明は前記実施の形態に限定されるものではなく、その要旨を逸脱しない範囲で種々変更可能であることはいうまでもない。
【００２７】
例えば、前記の実施形態では、インサート成形により隔離部材９と吸上げ部材８とが互いに固着した構成としているが、これに限らず、吸上げ部材８と隔離部材９とをそれぞれ形成した後に接着、溶着などによって互いに固着した構成としてもよいし、吸上げ部材８と隔離部材９とが互いに固着していない構成としてもよい。
【００２８】
また、前記の実施形態では、吸上げ部３ｂは、外部からの直接的な操作に応じて弾性変形及び復元変形することで容器本体２内の内容液をノズル部３ａ内に吸上げるように構成されているが、これに限らず、吸上げ部３ｂを、適宜設けた操作部材を介した間接的な操作に応じて弾性変形及び復元変形することで容器本体２内の内容液をノズル部３ａ内に吸上げるように構成してもよい。
【００２９】
さらに、前記の実施形態では、吸上げ部３ｂ及び隔離部３ｃは有頂円筒状をなしているが、これに限らず、有頂円筒状以外の有頂筒状をなしていてもよいし、有頂筒状以外の形状（例えばドーム状や平面状等）をなしていてもよい。
【符号の説明】
【００３０】
１    スポイト容器
２    容器本体
３    スポイト
３ａ  ノズル部
３ｂ  吸上げ部
３ｃ  隔離部
４    キャップ
５    口部
６    胴部
６ａ  肩部分
６ｂ  胴本体部分
６ｃ  底部分
７    装着部材
８    吸上げ部材
８ａ  上部フランジ
８ｂ  外周凸部
９    隔離部材
９ａ  中間フランジ
１０    ノズル部材
１０ａ  下部フランジ
１０ｂ  環状凸部
１１    装着筒部
１１ａ  雌ねじ部
１２    環状頂部
１２ａ  内周凸部
１３    パッキン
Ｏ    軸心
【図１】
2020183251.tif 000003
【図２】
2020183251.tif 000004
【図３】
2020183251.tif 000005
【図４】
2020183251.tif 000006